(57)【要約】本発明は、マイクロプロセッサなどの電子装置(1、11、21、31)用にヒートシンクとして用いられる冷却エレメントであって、一方の側で電子装置(1、11、21、31)に取り付けられ、他方の側で別の放熱用部材(3、17、23、33)を備える基部(2、12、22、32)を含み、この放熱用部材が、この放熱用部材(3、17、23、33)の中央における空洞に取り付けられて伝熱のために気流を生成するファン(6、15、25、35)を支持している冷却エレメントに関するものである。本発明によれば、少なくとも一つのフィン部材(4、18、28、38)は、二つの隣接した放熱部材(3、17、23、33)間の空間に取り付けられている。
2005528805.tif 000002
【特許請求の範囲】
【請求項１】
マイクロプロセッサなどの電子装置用のヒートシンクとして用いられる冷却エレメントであって、一方の側で電子装置に取り付けられ、かつ他方の側で別の放熱用部材を備える基部を含み、前記放熱用部材が、該放熱用部材の中央における空洞に取り付けられて伝熱のために気流を生成するファンを支持している冷却エレメントにおいて、少なくとも、一つのフィン部材が二つの隣接した放熱部材間の空間に取り付けられていることを特徴とする冷却エレメント。
【請求項２】
請求項１に記載の冷却エレメントにおいて、フィン部材は、隣接した放熱部材と二者択一的に機械接触していることを特徴とする冷却エレメント。
【請求項３】
請求項１または２に記載の冷却エレメントにおいて、フィン部材は波形ストリップから成ることを特徴とする冷却エレメント。
【請求項４】
請求項１ないし３のいずれかに記載の冷却エレメントにおいて、放熱部材およびフィン部材は、同じ材料から成ることを特徴とする冷却エレメント。
【請求項５】
請求項１ないし３のいずれかに記載の冷却エレメントにおいて、放熱部材およびフィン部材は、異なる材料から成ることを特徴とする冷却エレメント。
【請求項６】
請求項１ないし５のいずれかに記載の冷却エレメントにおいて、放熱部材およびフィン部材の材料は、銅、アルミニウムまたは銀のグループのうちの少なくとも一つであることを特徴とする冷却エレメント。
【請求項７】
請求項１ないし５のいずれかに記載の冷却エレメントにおいて、放熱部材およびフィン部材の材料は、銅合金またはアルミニウム合金のグループのうちの少なくとも一つであることを特徴とする冷却エレメント。
【発明の詳細な説明】
【詳細な説明】
【０００１】
本発明は、マイクロプロセッサなどの電子装置の冷却に用いる冷却エレメントに関するもので、その冷却エレメントは、放熱領域および伝熱領域を別々に有している。
【０００２】
数百万のトランジスタを有し、高クロックレートで動作する今日のマイクロプロセッサでは、多量の熱が発生する。その熱の大部分を除去する必要があり、それはヒートシンクと呼ばれる装置でなされる。通常、ヒートシンクを用いて、電子装置の過熱を防止するために、装置を瞬間的にまたは早計に故障させることになる熱を電子装置から除去する。過去において、ヒートシンクは、主に、電力増幅器、整流器または他の電力電子装置などの電力装置には重要であるが、コンピュータ、とりわけ、マイクロまたはパーソナル・コンピュータ用のマイクロプロセッサまたはCPUなどの、従来の「低電力」装置にはほとんど重要でない。しかしながら、マイクロエレクトロニクスの急速な発達がコンポーネント製造業者によって常に増加する多数の電子回路構成要素を単一のICチップに押し込んで完成させようとすることと結び付いて、集積回路（IC）、および特にマイクロプロセッサまたはCPUは、単一のICチップ内での隣接した電子回路構成要素間の分離がますます小さくなって、ますます高度に集積される。また、同時に、マイクロプロセッサ製造業者は、非常に高い動作クロックレートを有するマイクロプロセッサを生産しようと競っている。高動作クロックレートでかつ超高密の回路集積では、単一マイクロプロセッサによって生じた熱が重要な問題となる。
【０００３】
従来のヒートシンクは、一体型または非一体型のどちらでもよい。非一体型のヒートシンクは、主に多数の不連続成分を含み、たとえば、溶接され、締め付けられ、またはリベッドで留められることによって互いに組み立てられてヒートシンク完成体を形成する。一体型のヒートシンクは、通常、加熱押出、鋳造、鋳型打ち抜き、切り出しまたは圧延のいずれかによって、鋼片から形成および製造される。
【０００４】
米国特許第6,367,542号は、二つのファンを備えたヒートシンク組立品に関するもので、ここで、ヒート組立品は、ヒートシンク、内部ファン、ファンフレームおよび外部ファンを含んでいる。ヒートシンク自体は、基部および基部に取り付けられたフィン部材を含んでいる。フィン部材は、中枢部、および中枢部から放射状に広がる複数のフィンを含んでいる。ファンフレームは、そこに開口部を画成して、ヒートシンク上に設置されている。外部ファンは、開口部を覆うようにファンフレーム上に設置されている。内部ファンは、フィン部材の上部からフィン部材の下部への気流を加速するものである。
【０００５】
米国特許公報2002/0024797号では、シャシーおよびフィン部材を含む放熱装置が示される。シャシーは、押出加工によって単一ユニットとして形成され、上表面を含んでいる。フィン部材は、単一プレートから形成され、４つの平行な溝およびそこを通るチャンネルを画成している。チャンネルは、二つの最も内側の溝の間に画成され、従来のクリップを干渉的に受け入れるように構成されている。クリップは、熱を生じる電子装置に放熱装置を留め付けるものである。４つの溝は、シャシーのリブを干渉的に受け入れ、これによりシャシーにフィン部材をしっかりと取り付けるものである。
【０００６】
ヒートシンクを考察すると、金属から空気への伝熱領域の大部分が、熱源から、すなわちプロセッサ自体から遠く離れて設計される。プロセッサにより生じた熱は、薄いフィンにおける熱抵抗のため、少量のみが、プロセッサから長距離にあるフィンの領域に達する。したがって、たとえば、米国特許第6,367,542号は、内部ファンを用いて、フィン部材の上部からフィン部材の下部への気流を加速する。しかしながら、この配置では、プロセッサ付近に伝熱領域を加えない。
【０００７】
本発明の目的は、従来技術の欠点を除去して、マイクロプロセッサの冷却においてヒートシンクとして用いられる冷却エレメントの改良を達成することで、その冷却エレメントは、放熱領域および伝熱領域を別々に有している。本発明の特徴は、添付の特許請求の範囲で得られる。
【０００８】
本発明によれば、マイクロプロセッサなどの電子装置用のヒートシンクとして用いられる冷却エレメントは、一方の側で冷却エレメントによって冷却すべき電子装置に取り付けられ、かつ他方の側で別の放熱用部材を備える基部、すなわち基板を含み、この放熱用部材が、伝熱のために気流を生成するファンを支持しているもので、少なくとも一つのフィン部材が二つの隣接した放熱部材間の空間に取り付けられている。冷却エレメントに対して、放熱部材が放熱領域を形成し、フィン部材が伝熱領域を形成している。ファンは、熱を冷却エレメントの周りに流出させるものである。
【０００９】
本発明の好ましい実施例の一つでは、一方の側で電子装置に取り付けた基部は、その最も厚い部分で電子装置に取り付けられ、その基部は、電子装置が取り付けられる側で、その縁領域に達するにつれてより薄くなるものである。マイクロプロセッサが取り付けられた側と反対の基部の他方の側は、平坦な表面を有している。本発明の他の実施例では、基部は、その領域に対して実質的に同じ厚さを有してよく、したがって、基部の両側の表面は平坦である。このとき、その厚さは、厚さが縁領域に向かって薄くなる実施例における基部の最も厚い部分よりも、有利に薄い。このとき、両実施例において基部の総体積は、高い熱抵抗を回避するのに適している。
【００１０】
本発明の好ましい実施例において、放熱部材は、基部の周囲に接して実質的に垂直な位置で平坦な表面を有する基部の側に取り付けられている。放熱部材は、空洞が基板上の中心部に画成されるような寸法および形状のものである。放熱部材は、高熱伝導を持たせるために、銅、アルミニウムまたは銀製である。また、放熱部材の材料は、銅合金またはアルミニウム合金でもよい。放熱部材は、互いに機械的に接続され、二つの隣接した放熱部材の間に少なくとも一つのフィン部材が取り付けられている。フィン部材は、銅、アルミニウムまたは銀などの波形金属ストリップから成る。また、フィン部材の材料は、銅合金またはアルミニウム合金でもよい。フィン部材は、二つの隣接した放熱部材間の各空間に取り付けられて、フィン部材は、両方の放熱部材と二者択一的に機械接触している。
【００１１】
放熱部材間の中心部における空洞は、ファンのためのもので、そのファンは、空気を放熱部材付近でもフィン部材付近でも流れるようにして、これにより電子装置から生じる熱を除去するものである。
【００１２】
本発明の一実施例では、放熱部材およびフィン部材の結合体は、冷却すべき電子装置を備えたファンおよび基部が互いに機械接続した結合体とは別に組み立てられる。本発明の冷却エレメントは、これらの結合体を互いに装着したものである。
【００１３】
上述のように、基部は、電子装置と機械接触しているもので、高熱抵抗を避ける総体積を有している。同様の理由に基づき、放熱部材は、熱がその部材へと伝導できるようにフィン部材より厚く、以前の部材よりも小さい熱抵抗を有している。このとき、フィン部材に伝導した熱は、ファンを用いて生成される気流によって伝達される。また、薄いフィン部材を用いる場合の有利な点は、ファンによって生じた強制冷却での気圧低下が減少すること、および同じファン力でより高い気流速度を可能とすることで、これによって冷却能力が増大する。
【００１４】
本発明を図面を参照して、より詳細に説明する。
【００１５】
図１ａから図１ｅによれば、マイクロプロセッサ１は、冷却エレメントの基板２の中央部に取り付けられている。基板２は、その最も厚い部分でマイクロプロセッサ１に取り付けられ、基板２は、マイクロプロセッサ１が取り付けられる側で、基板２の縁領域に達するにつれてより薄くなるものである。マイクロプロセッサ１が取り付けられた側と反対の、基板２の反対の他方の側は、平坦な表面を有している。複数の放熱部材３は、基板２の表面に対して実質的に垂直な位置で基板２の平坦な側の周囲に取り付けられている。隣接した放熱部材３は、フィン部材４によって互いに機械的に接続している。ファンフレーム５は、放熱部材３上で、基板２の反対にある端部に取り付けられ、ファン６は、放熱部材３の中央で形成される空洞に配置されている。矢印７は、ファン６、ならびにマイクロプロセッサ１および放熱部材３を備えた基板２を互いに組み立てるときの方向を示す。
【００１６】
図２ａから図２ｄによれば、マイクロプロセッサ11は、冷却エレメントの基板12の中央部に取り付けられている。厚い部分における基板12の形状は、図１に示す実施例の基板２と同様である。複数の放熱部材13は、基板12の表面に対して実質的に垂直な位置で基板12の平坦な側の周囲に取り付けられている。ファンフレーム14は、放熱部材13上で、基板12の反対にある端部に取り付けられている。ファン15自体は、放熱部材13の中央部に形成される空洞に配置されている。矢印16は、ファン15、ならびにマイクロプロセッサ11および放熱部材13を備えた基板12を互いに組み立てるときの方向を示す。
【００１７】
図２ａ〜ｄに示す実施例の伝熱領域は、外部放熱部材17に基づいている。二つの隣接した外部放熱部材17は、フィン部材18によって互いに機械接触している。外部放熱部材17およびフィン部材18の結合体は、基板12に取り付けた放熱部材13によって形成された冷却エレメントを囲んで装着されている。
【００１８】
図３ａ、３ｂ、３ｃ、３ｄおよび図４の実施例において、マイクロプロセッサ21は、冷却エレメントの円形基板22の中央部に取り付けられている。厚い部分における基板22の形状は、図１ａ〜ｅに示す実施例の基板２と同様である。複数の放熱部材23は、基板22の表面に対して実質的に垂直な位置で基板22の平坦な側の周囲に取り付けられている。ファンフレーム24は、放熱部材23上で、基板22の反対にある端部に取り付けられている。ファン25は、放熱部材23の中央部に形成される空洞に配置されている。矢印26は、ファン25によって生成された気流の方向を示す。二つの隣接した放熱部材23は、フィン部材28によって互いに機械接触している。放熱部材23およびフィン部材28の結合体は、基板22に取り付けた放熱部材23によって形成された冷却エレメントを囲んで装着されている。
【００１９】
図５ａ、５ｂ、５ｃ、５ｄおよび図６の実施例において、マイクロプロセッサ31は、冷却エレメントの二次基板32の中央部に取り付けられている。厚い部分における基板32の形状は、図１ａ〜ｅに示す実施例の基板２と同様である。複数の放熱部材33は、基板32の表面に対して実質的に垂直な位置で基板32の平坦な側の周囲に取り付けられている。ファンフレーム34は、放熱部材33上で、基板32の反対にある端部に取り付けられている。ファン35は、放熱部材33の中央部に形成される空洞に配置されている。矢印36は、ファン35によって生成された気流の方向を示す。伝熱領域は、放熱部材33に基づいている。二つの隣接した放熱部材33は、フィン部材38によって互いに機械接触している。放熱部材33およびフィン部材38の結合体は、基板32に取り付けた放熱部材33によって形成された冷却エレメントを囲んで装着されている。基板32のコーナーにおいて、二つの隣接した放熱部材33は、フィン部材38によって互いに接続して、その接続は、一点のみにおいて実質的である。
【００２０】
本発明は、ある特定の実施例に関して記載しているが、本発明の意図から外れずに当業者によって多くの修正および変更がなし得ることが分かる。したがって、本発明の真の意図および範囲内に入るような修正および変更をすべて包含することを、添付の特許請求の範囲によって意図する。
【図面の簡単な説明】
【００２１】
【図１ａ】一方の側から見た本発明の第一の実施例を示す。
【図１ｂ】前側および上方を含む一方の側から見た分解斜視図として図１ａの実施例を示す。
【図１ｃ】前側および下方を含む一方の側から見た分解斜視図として図１ａの実施例を示す。
【図１ｄ】図１ｂの組立状態の斜視図を示す。
【図１ｅ】図１ｃの組立状態の斜視図を示す。
【図２ａ】一方の側から見た本発明の第二の実施例を示す。
【図２ｂ】前側および上方を含む一方の側から見た分解斜視図として図２ａの実施例を示す。
【図２ｃ】前側および下方を含む一方の側から見た分解斜視図として図２ａの実施例を示す。
【図２ｄ】図２ｃの組立状態の斜視図を示す。
【図３ａ】一方の側から見た本発明の第三の実施例を示す。
【図３ｂ】前側および上方を含む一方の側から見た分解斜視図として図３ａの実施例を示す。
【図３ｃ】前側および上方を含む一方の側から見た組立状態の斜視図として図３ａの実施例を示す。
【図３ｄ】前側および下方を含む一方の側から見た組立状態の斜視図として図３ａの実施例を示す。
【図４】ファンを除いて上から見た図３ａの実施例を示す。
【図５ａ】一方の側から見た本発明の第四の実施例を示す。
【図５ｂ】前側および上方を含む一方の側から見た分解斜視図として図５ａの実施例を示す。
【図５ｃ】前側および上方を含む一方の側から見た組立状態の斜視図として図３ａの実施例を示す。
【図５ｄ】前側および下方を含む一方の側から見た組立状態の斜視図として図３ａの実施例を示す。
【図６】ファンを除いて上から見た図５ａの実施例を示す。
【図１ａ】
2005528805.tif 000003
【図１ｂ】
2005528805.tif 000004
【図１ｃ】
2005528805.tif 000005
【図１ｄ】
2005528805.tif 000006
【図１ｅ】
2005528805.tif 000007
【図２ａ】
2005528805.tif 000008
【図２ｂ】
2005528805.tif 000009
【図２ｃ】
2005528805.tif 000010
【図２ｄ】
2005528805.tif 000011
【図３ａ】
2005528805.tif 000012
【図３ｂ】
2005528805.tif 000013
【図３ｃ】
2005528805.tif 000014
【図３ｄ】
2005528805.tif 000015
【図４】
2005528805.tif 000016
【図５ａ】
2005528805.tif 000017
【図５ｂ】
2005528805.tif 000018
【図５ｃ】
2005528805.tif 000019
【図５ｄ】
2005528805.tif 000020
【図６】
2005528805.tif 000021
【手続補正書】
【提出日】平成16年6月14日(2004.6.14)
【手続補正１】
【補正対象書類名】特許請求の範囲
【補正対象項目名】全文
【補正方法】変更
【補正の内容】
【特許請求の範囲】
【請求項１】
マイクロプロセッサなどの電子装置用にヒートシンクとして用いられる冷却エレメントであって、一方の側で電子装置に取り付けられ、かつ他方の側で別の放熱用部材を備える基部を含み、前記放熱用部材が、該放熱用部材の中央における空洞に取り付けられて伝熱のために気流を生成するファンを支持している冷却エレメントにおいて、少なくとも、一つのフィン部材が二つの隣接した放熱部材間の空間に取り付けられ、放熱部材およびフィン部材の結合体が、基板に取り付けた放熱部材によって形成された冷却エレメントを囲んで装着されていることを特徴とする冷却エレメント。
【請求項２】
請求項１に記載の冷却エレメントにおいて、フィン部材は、隣接した放熱部材と二者択一的に機械接触していることを特徴とする冷却エレメント。
【請求項３】
請求項１または２に記載の冷却エレメントにおいて、フィン部材は波形ストリップから成ることを特徴とする冷却エレメント。
【請求項４】
請求項１ないし３のいずれかに記載の冷却エレメントにおいて、放熱部材およびフィン部材は、同じ材料から成ることを特徴とする冷却エレメント。
【請求項５】
請求項１ないし３のいずれかに記載の冷却エレメントにおいて、放熱部材およびフィン部材は、異なる材料から成ることを特徴とする冷却エレメント。
【請求項６】
請求項１ないし５のいずれかに記載の冷却エレメントにおいて、放熱部材およびフィン部材の材料は、銅、アルミニウムまたは銀のグループのうちの少なくとも一つであることを特徴とする冷却エレメント。
【請求項７】
請求項１ないし５のいずれかに記載の冷却エレメントにおいて、放熱部材およびフィン部材の材料は、銅合金またはアルミニウム合金のグループのうちの少なくとも一つであることを特徴とする冷却エレメント。
【国際調査報告】
2005528805.tif 000022
2005528805.tif 000023
2005528805.tif 000024